(57)【要約】【課題】携帯電話でＴＶ電波を受信するためのアンテナ装置に関するものであり、携帯機器の方向に関係なく常時安定したＴＶ信号の受信が可能なアンテナ装置を実現することを目的とする。【解決手段】第１のアンテナエレメントと、第２のアンテナエレメントと、この第２のアンテナエレメントに接続された移相器と、アンテナ装置の出力経路と、第１のアンテナエレメントのみを前記出力経路に接続するか第１、第２のアンテナエレメントの両方を移相器を介して出力経路に接続するかを切り換えるスイッチとを備えたアンテナ装置である。【選択図】図１
2006042293.tif 000002
【特許請求の範囲】
【請求項１】
携帯機器でＴＶ電波を受信するためのアンテナ装置であって、第１のアンテナエレメントと、第２のアンテナエレメントと、前記第２のアンテナエレメントに接続された移相器と、前記アンテナ装置の出力経路と、前記第１のアンテナエレメントのみを前記出力経路に接続するか、前記第１、第２のアンテナエレメントの両方を前記移相器を介して前記出力経路に接続するかを切り換えるスイッチとを備えたことを特徴とするアンテナ装置。
【請求項２】
出力経路に受信レベルを検出する検出部を設け、前記検出部の検出結果に基づきスイッチの接続形態を制御することを特徴とした請求項１に記載のアンテナ装置。
【発明の詳細な説明】
【技術分野】
【０００１】
本発明は、携帯機器でアナログ又はデジタルのＴＶ電波を受信するためのアンテナ装置に関するものである。
【背景技術】
【０００２】
従来、この種の携帯機器は、図４のようにアンテナエレメント２２からＴＶ電波を受信し、これを不平衡信号２３としてチューナ入力端子２４を介して、チューナＩＣ２５へ入力されていた。
【０００３】
なお、この出願の発明に関連する先行技術文献情報としては、例えば、特許文献１が知られている。
【特許文献１】特開２００１−２５１１３１号公報
【発明の開示】
【発明が解決しようとする課題】
【０００４】
しかしながら、上記従来のアンテナ装置では、図４に示すように不平衡給電の指向性２６が偏っているため、携帯機器の向きによって受信感度が大きく変化してしまうという課題を有していた。
【０００５】
本発明は、上記従来の課題を解決するためのものであり、携帯機器の向きに関係なく常時安定したＴＶ電波の受信が可能なアンテナ装置を実現することを目的とする。
【課題を解決するための手段】
【０００６】
上記目的を達成するために本発明のアンテナ装置は、２つのアンテナエレメントと、前記２つのアンテナエレメントの一方あるいは両方に接続された移相器と、前記２つのアンテナエレメントの一方の接続をＯＮ・ＯＦＦするスイッチと、前記２つのアンテナエレメントの一方あるいは両方から得られた受信電力を検出する検出部とを備え、前記検出部の検出結果に基づき前記スイッチＯＮ・ＯＦＦを制御することにより、前記２つのアンテナエレメントを用いた平衡給電あるいは一方のアンテナエレメントを用いた不平衡給電に切り換わって指向性が調整されることを特徴とするものである。
【発明の効果】
【０００７】
本発明によれば、携帯機器の向きに関係なく常時安定したＴＶ電波の受信が可能なアンテナ装置を実現することができるものである。
【発明を実施するための最良の形態】
【０００８】
以下、本発明の一実施の形態について、図面を参照しながら説明する。
【０００９】
図１は本発明の一実施の形態におけるアンテナ装置の構成図、図２は同アンテナ装置の不平衡給電時の等価回路、図３は同アンテナ装置の平衡給電時の等価回路を示している。
【００１０】
図１において、筐体１１内にチューナモジュール８等の部品を搭載するための主基板１０を収納している。チューナモジュール８は、受信信号を変換するためのチューナＩＣ６、復調ＬＳＩ７を内蔵しており、受信信号を入力するためのチューナ入力端子１２、およびＴＶ映像等の送信信号を出力するための復調出力端子９と接続している。
【００１１】
ＴＶ電波等の無線信号１９ａ，１９ｂを受信するためのアンテナエレメント１，２は、チューナ入力端子１２を介してチューナモジュール８と接続している。
【００１２】
次に、動作について説明する。アンテナエレメント１はスイッチ４がオフである場合、図２に示すように、無線受信部２０において、指向性は主としてアンテナエレメント長手方向に水平な方向からの不平衡給電の指向性１４となり、無線信号１９ａ，１９ｂを受信する不平衡型アンテナとして動作する。
【００１３】
一方、スイッチ４がオンである場合、図３に示すように指向性は主としてアンテナエレメント長手方向に垂直な方向からの平衡給電の指向性１３となり、無線信号１５ａ，１５ｂを受信する平衡型アンテナとして動作する。
【００１４】
すなわち、スイッチ４を用いて２つのアンテナエレメント１，２をチューナ入力端子１２を含む出力経路に対する接続形態を制御することで、単一のアンテナ装置において不平衡型アンテナと平衡型アンテナを選択的に切り換えることで、携帯機器の指向性が調節可能となり、結果として携帯機器の向きに関係なく常時安定したＴＶ電波の受信が可能なアンテナ装置を実現することができるのである。
【００１５】
また、このスイッチ４の制御タイミングとしては、アンテナ装置の出力経路上に受信信号レベルを検出する検出部１８を設け、この検出部１８のモニタ結果に基づきスイッチ４の接続形態を制御するスイッチ制御信号５の発信を制御すれば効率よく受信間とを確保できるのである。
【００１６】
具体的には、図２に示されるように不平衡型アンテナとして受信した不平衡信号２１がチューナ入力端子１２からチューナＩＣ６に入力された際に、チューナＩＣ６の内部に設けられた検出部１８で検出された受信信号レベルが既定の基準信号レベル以上である場合、スイッチ制御信号５によりスイッチ４がオフの状態、つまりアンテナエレメント１が不平衡型アンテナとして動作する状態が維持され、受信信号レベルが既定の基準信号レベル以下である場合、スイッチ制御信号５によりスイッチ４がオンの状態、つまり図３に示されるアンテナエレメント１，２が平衡型アンテナとして動作する状態に切り換えて、アンテナ装置の指向性を切り換えるのである。
【００１７】
また、これとは逆に図３に示されるように平衡型アンテナとして受信した平衡信号２１がチューナ入力端子１２からチューナＩＣ６に入力される際に、チューナＩＣ６の内部に設けられた検出部１８で検出された受信信号レベルが既定の基準信号レベル以上である場合、スイッチ制御信号５によりスイッチ４がオンの状態、つまりアンテナエレメント１，２が平衡型アンテナとして動作する状態が維持され、受信信号レベルが既定の基準信号レベル以下である場合、スイッチ制御信号５によりスイッチ４がオフの状態、つまり図２に示されるアンテナエレメント１が不平衡型アンテナとして動作する状態に切り換えて、アンテナ装置の指向性を切り換えるのである。
【００１８】
以上の構成とすることで、本実施の形態の携帯機器は、受信信号レベルに応じて平衡型アンテナと不平衡型アンテナに切り換えて指向性を変えることができるため、常時安定したＴＶ信号の受信が可能なアンテナ装置を提供することが可能となる。
【産業上の利用可能性】
【００１９】
本発明に係るアンテナ装置は、常時安定したＴＶ信号の受信が可能なアンテナ装置を提供することが可能となり、ＴＶ信号を受信するための携帯電話・ＰＤＡなどの携帯機器に有用である。
【図面の簡単な説明】
【００２０】
【図１】本発明の一実施の形態におけるアンテナ装置の構成を示す図
【図２】同実施の形態におけるアンテナ装置の動作状態を示す図
【図３】同実施の形態におけるアンテナ装置の動作状態を示す図
【図４】従来のアンテナ装置の構成を示す図
【符号の説明】
【００２１】
１，２  アンテナエレメント
３  移相器
４  スイッチ
５  制御信号
６  チューナＩＣ
７  復調ＬＳＩ
８  チューナモジュール
９  復調出力端子
１０  主基板
１１  筐体
１２  チューナ入力端子
１３  平衡給電の指向性
１４  不平衡給電の指向性
１５ａ，１５ｂ  無線信号
１６ａ，１６ｂ  平衡信号
１７  不平衡信号
１８  検出部
１９ａ，１９ｂ  無線信号
２０  無線受信部
２１  不平衡信号
【図１】
2006042293.tif 000003
【図２】
2006042293.tif 000004
【図３】
2006042293.tif 000005
【図４】
2006042293.tif 000006